(57)【要約】【課題】放射線撮影により得られた動画像を表示したり画像処理したりする場合における時間方向に変動するノイズの影響を低減する。【解決手段】コンソール２の制御部２１によれば、撮影装置１によって取得された動画像のフレーム画像ごと又は画素ごとに、動画像において時間方向に変動するノイズのノイズ量を表すノイズ量評価用データを作成し、作成されたノイズ量評価用データに基づいて、動画像のフレーム画像ごと又は画素ごとの信頼度を判定する。そして、判定されたフレーム画像ごと又は画素ごとの信頼度に基づいて、動画像の表示制御、動画像に対する画像処理制御、又は撮影装置１に関する通知もしくは撮影の制御を行う。【選択図】図３
2020089399.tif 000002
【特許請求の範囲】
【請求項１】
被写体に放射線を複数回連続して照射することにより動画像を取得する撮影装置によって取得された動画像のフレーム画像ごと又は画素ごとに、前記動画像において時間方向に変動するノイズのノイズ量を表すノイズ量評価用データを作成するノイズ量評価用データ作成手段と、
前記ノイズ量評価用データに基づいて、前記動画像のフレーム画像ごと又は画素ごとの信頼度を判定する判定手段と、
前記判定手段により判定されたフレーム画像ごと又は画素ごとの信頼度に基づいて、前記動画像の表示制御、前記動画像に対する画像処理制御、又は前記撮影装置に関する通知もしくは撮影の制御を行う制御手段と、
を備える制御装置。
【請求項２】
前記ノイズ量評価用データ作成手段は、前記動画像の各フレーム画像における前記被写体の動態に起因する信号値変動のない領域の代表信号値を算出し、前記各フレーム画像から算出された代表信号値と予め定められた基準値との比較に基づいて、フレーム画像ごとの前記ノイズ量評価用データを作成する請求項１に記載の制御装置。
【請求項３】
前記ノイズ量評価用データ作成手段は、前記動画像に時間方向のノイズ低減処理を施し、前記ノイズ低減処理前のフレーム画像又は画素と前記ノイズ低減処理後の対応するフレーム画像又は画素との比較に基づいて、フレーム画像ごと又は画素ごとの前記ノイズ量評価用データを作成する請求項１に記載の制御装置。
【請求項４】
前記ノイズ量評価用データ作成手段は、前記動画像に時間方向のフィルタリング処理を施すことで、前記動画像に時間方向のノイズ低減処理を施す請求項３に記載の制御装置。
【請求項５】
前記ノイズ量評価用データ作成手段は、前記動画像の各フレーム画像を周波数分解して複数の周波数帯域の動画像を作成し、少なくとも低周波数帯域の動画像に時間方向のフィルタリング処理を施して、フィルタリング処理後の各フレーム画像を他の周波数帯域の対応するフレーム画像と足し合わせることで、前記動画像に時間方向のノイズ低減処理を施す請求項３に記載の制御装置。
【請求項６】
前記フィルタリング処理は、メディアンフィルター処理である請求項４又は５に記載の制御装置。
【請求項７】
前記制御手段は、前記信頼度が予め定められた閾値以下と判定されたフレーム画像もしくは画素を使用しないで画像処理を行うか、又は周囲の前記予め定められた閾値より信頼度の高いフレーム画像もしくは画素で補間を行ってから画像処理を行うように制御する請求項１〜６のいずれか一項に記載の制御装置。
【請求項８】
前記制御手段は、前記信頼度が予め定められた閾値以下と判定されたフレーム画像もしくは画素を使用しないで表示を行うか、又は周囲の前記予め定められた閾値より信頼度の高いフレーム画像もしくは画素で補間を行ってから表示を行うように制御する請求項１〜７のいずれか一項に記載の制御装置。
【請求項９】
前記制御手段は、前記信頼度が最も高いフレーム画像を代表的なフレーム画像として表示するよう制御する請求項１〜８のいずれか一項に記載の制御装置。
【請求項１０】
前記動画像に解析処理を施して、前記動画像の各フレーム画像の画素ごとの解析結果を表す解析結果画像を生成する解析処理手段を備え、
前記制御手段は、前記判定手段により判定されたフレーム画像ごと又は画素ごとの信頼度に基づいて、さらに前記解析結果画像の表示制御を行う請求項１〜９のいずれか一項に記載の制御装置。
【請求項１１】
前記制御手段は、前記各フレーム画像について判定された信頼度に基づいて、前記動画像全体の信頼度を判定し、前記判定された動画像全体の信頼度を前記撮影装置の放射線検出器又は放射線発生装置の経時劣化度を示す指標として通知する請求項１〜１０のいずれか一項に記載の制御装置。
【請求項１２】
前記制御手段は、前記動画像全体の信頼度を時系列で示したグラフを表示手段に表示させることで前記通知を行う請求項１１に記載の制御装置。
【請求項１３】
前記制御手段は、前記各フレーム画像について判定された信頼度に基づいて、前記動画像全体の信頼度を判定し、前記動画像全体の信頼度に基づいて、前記撮影装置における管電流、管電圧、又は１フレーム画像当たりの放射線照射時間を制御する請求項１〜１２のいずれか一項に記載の制御装置。
【請求項１４】
前記制御手段は、前記各フレーム画像について判定された信頼度に基づいて、再撮影が必要であるか否かを判断し、再撮影が必要であると判断した場合にその旨を通知する請求項１〜１３のいずれか一項に記載の制御装置。
【請求項１５】
前記制御手段は、前記各フレーム画像について判定された信頼度に基づいて、前記動画像全体の信頼度を判定し、前記動画像全体の信頼度に基づいて、前記撮影装置の放射線検出器のキャリブレーション又は交換の必要性を判断し、前記撮影装置の放射線検出器のキャリブレーション又は交換が必要と判断した場合にその旨を通知する請求項１〜１４のいずれか一項に記載の制御装置。
【請求項１６】
前記判定手段により判定されたフレーム画像ごとの信頼度を通知する信頼度通知手段を備える請求項１〜１５のいずれか一項に記載の制御装置。
【請求項１７】
前記信頼度通知手段は、数値、マーク、色、グラフ、又はこれらの二以上の組み合わせの表示により前記信頼度を通知する請求項１６に記載の制御装置。
【請求項１８】
前記信頼度通知手段は、前記動画像の再生箇所を示すための時間軸の色を各時間に再生されるフレーム画像の信頼度に応じた色で表示することにより、前記フレーム画像ごとの信頼度を通知する請求項１６又は１７に記載の制御装置。
【請求項１９】
前記信頼度通知手段による信頼度の通知方法を切り替えるためのユーザーインターフェースを備える請求項１６〜１８のいずれか一項に記載の制御装置。
【請求項２０】
コンピューターを、
被写体に放射線を複数回連続して照射することにより動画像を取得する撮影装置によって取得された動画像のフレーム画像ごと又は画素ごとに、前記動画像において時間方向に変動するノイズのノイズ量を表すノイズ量評価用データを作成するノイズ量評価用データ作成手段、
前記ノイズ量評価用データに基づいて、前記動画像のフレーム画像ごと又は画素ごとの信頼度を判定する判定手段、
前記判定手段により判定されたフレーム画像ごと又は画素ごとの信頼度に基づいて、前記動画像の表示制御、前記動画像に対する画像処理制御、又は前記撮影装置に関する通知もしくは撮影の制御を行う制御手段、
として機能させるためのプログラム。
【発明の詳細な説明】
【技術分野】
【０００１】
本発明は、制御装置及びプログラムに関する。
【背景技術】
【０００２】
従来のフィルム／スクリーンや輝尽性蛍光体プレートを用いた被写体の放射線による静止画撮影及び診断に対し、ＦＰＤ（Flat Panel Detector）等の半導体イメージセンサーを利用した放射線検出器を用いて被写体の動態を撮影し、診断に応用する試みがなされるようになってきている。具体的には、半導体イメージセンサーの画像データの読取・消去の応答性の速さを利用し、半導体イメージセンサーの読取・消去のタイミングと合わせて放射線源からパルス状の放射線を連続照射し、１秒間に複数回の撮影を行って、被写体の動態を表す複数のフレーム画像からなる動画像を取得する。
【０００３】
上述の動画像には、時間方向に変動するノイズ（フレーム画像間で変動するノイズ）が含まれる。図１１に、時間方向に変動するノイズのグラフを示す。時間方向への変動を持つノイズとしては、例えば、放射線検出器の読み取り時の物理的要因によるノイズ（電磁波や物理的な衝撃により生じるノイズ）、放射線検出器の性能起因によるノイズ（時間方向にスパイク状に生じるノイズ）、放射線発生装置の性能起因によるノイズ（時間方向にスパイク状に生じるノイズや、放射線発生装置の立ち上がりが悪く撮影中に線量が徐々に上昇することによるノイズ）等が挙げられる。これらのノイズは、放射線検出器や放射線発生装置の経時劣化により顕著となり、診断時や画像解析時の画質に影響を与える。
【０００４】
例えば、特許文献１には、入力画像に所定の方向への加重平均処理を行った後に、異なる方向に複数の周波数成分に分解し、周波数成分の画像へフィルター処理を行うことでライン状ノイズを低減し、平均画像とライン状ノイズ低減画像の差分を取ることでライン状ノイズ画像を抽出し、ライン状ノイズ画像に基づいて入力画像のライン状ノイズを低減する技術が記載されている。
【先行技術文献】
【特許文献】
【０００５】
【特許文献１】特許第６０００６５９号公報
【発明の概要】
【発明が解決しようとする課題】
【０００６】
しかしながら、特許文献１の技術は、動画像を構成するフレーム画像ごとに独立的にノイズ低減処理を行っており、フレーム画像間でのノイズのばらつきを低減することはできない。そのため、動画像を表示したり画像処理したりする場合に、時間方向に変動するノイズの影響が出てしまい、診断や解析の精度が低下するという問題がある。
【０００７】
本発明の課題は、放射線撮影により得られた動画像を表示したり画像処理したりする場合における時間方向に変動するノイズの影響を低減することである。
【課題を解決するための手段】
【０００８】
上記課題を解決するため、請求項１に記載の発明の制御装置は、
被写体に放射線を複数回連続して照射することにより動画像を取得する撮影装置によって取得された動画像のフレーム画像ごと又は画素ごとに、前記動画像において時間方向に変動するノイズのノイズ量を表すノイズ量評価用データを作成するノイズ量評価用データ作成手段と、
前記ノイズ量評価用データに基づいて、前記動画像のフレーム画像ごと又は画素ごとの信頼度を判定する判定手段と、
前記判定手段により判定されたフレーム画像ごと又は画素ごとの信頼度に基づいて、前記動画像の表示制御、前記動画像に対する画像処理制御、又は前記撮影装置に関する通知もしくは撮影の制御を行う制御手段と、
を備える。
【０００９】
請求項２に記載の発明は、請求項１に記載の発明において、
前記ノイズ量評価用データ作成手段は、前記動画像の各フレーム画像における前記被写体の動態に起因する信号値変動のない領域の代表信号値を算出し、前記各フレーム画像から算出された代表信号値と予め定められた基準値との比較に基づいて、フレーム画像ごとの前記ノイズ量評価用データを作成する。
【００１０】
請求項３に記載の発明は、請求項１に記載の発明において、
前記ノイズ量評価用データ作成手段は、前記動画像に時間方向のノイズ低減処理を施し、前記ノイズ低減処理前のフレーム画像又は画素と前記ノイズ低減処理後の対応するフレーム画像又は画素との比較に基づいて、フレーム画像ごと又は画素ごとの前記ノイズ量評価用データを作成する。
【００１１】
請求項４に記載の発明は、請求項３に記載の発明において、
前記ノイズ量評価用データ作成手段は、前記動画像に時間方向のフィルタリング処理を施すことで、前記動画像に時間方向のノイズ低減処理を施す。
【００１２】
請求項５に記載の発明は、請求項３に記載の発明において、
前記ノイズ量評価用データ作成手段は、前記動画像の各フレーム画像を周波数分解して複数の周波数帯域の動画像を作成し、少なくとも低周波数帯域の動画像に時間方向のフィルタリング処理を施して、フィルタリング処理後の各フレーム画像を他の周波数帯域の対応するフレーム画像と足し合わせることで、前記動画像に時間方向のノイズ低減処理を施す。
【００１３】
請求項６に記載の発明は、請求項４又は５に記載の発明において、
前記フィルタリング処理は、メディアンフィルター処理である。
【００１４】
請求項７に記載の発明は、請求項１〜６のいずれか一項に記載の発明において、
前記制御手段は、前記信頼度が予め定められた閾値以下と判定されたフレーム画像もしくは画素を使用しないで画像処理を行うか、又は周囲の前記予め定められた閾値より信頼度の高いフレーム画像もしくは画素で補間を行ってから画像処理を行うように制御する。
【００１５】
請求項８に記載の発明は、請求項１〜７のいずれか一項に記載の発明において、
前記制御手段は、前記信頼度が予め定められた閾値以下と判定されたフレーム画像もしくは画素を使用しないで表示を行うか、又は周囲の前記予め定められた閾値より信頼度の高いフレーム画像もしくは画素で補間を行ってから表示を行うように制御する。
【００１６】
請求項９に記載の発明は、請求項１〜８のいずれか一項に記載の発明において、
前記制御手段は、前記信頼度が最も高いフレーム画像を代表的なフレーム画像として表示するよう制御する。
【００１７】
請求項１０に記載の発明は、請求項１〜９のいずれか一項に記載の発明において、
前記動画像に解析処理を施して、前記動画像の各フレーム画像の画素ごとの解析結果を表す解析結果画像を生成する解析処理手段を備え、
前記制御手段は、前記判定手段により判定されたフレーム画像ごと又は画素ごとの信頼度に基づいて、さらに前記解析結果画像の表示制御を行う。
【００１８】
請求項１１に記載の発明は、請求項１〜１０のいずれか一項に記載の発明において、
前記制御手段は、前記各フレーム画像について判定された信頼度に基づいて、前記動画像全体の信頼度を判定し、前記判定された動画像全体の信頼度を前記撮影装置の放射線検出器又は放射線発生装置の経時劣化度を示す指標として通知する。
【００１９】
請求項１２に記載の発明は、請求項１１に記載の発明において、
前記制御手段は、前記動画像全体の信頼度を時系列で示したグラフを表示手段に表示させることで前記通知を行う。
【００２０】
請求項１３に記載の発明は、請求項１〜１２のいずれか一項に記載の発明において、
前記制御手段は、前記各フレーム画像について判定された信頼度に基づいて、前記動画像全体の信頼度を判定し、前記動画像全体の信頼度に基づいて、前記撮影装置における管電流、管電圧、又は１フレーム画像当たりの放射線照射時間を制御する。
【００２１】
請求項１４に記載の発明は、請求項１〜１３のいずれか一項に記載の発明において、
前記制御手段は、前記各フレーム画像について判定された信頼度に基づいて、再撮影が必要であるか否かを判断し、再撮影が必要であると判断した場合にその旨を通知する。
【００２２】
請求項１５に記載の発明は、請求項１〜１４のいずれか一項に記載の発明において、
前記制御手段は、前記各フレーム画像について判定された信頼度に基づいて、前記動画像全体の信頼度を判定し、前記動画像全体の信頼度に基づいて、前記撮影装置の放射線検出器のキャリブレーション又は交換の必要性を判断し、前記撮影装置の放射線検出器のキャリブレーション又は交換が必要と判断した場合にその旨を通知する。
【００２３】
請求項１６に記載の発明は、請求項１〜１５のいずれか一項に記載の発明において、
前記判定手段により判定されたフレーム画像ごとの信頼度を通知する信頼度通知手段を備える。
【００２４】
請求項１７に記載の発明は、請求項１６に記載の発明において、
前記信頼度通知手段は、数値、マーク、色、グラフ、又はこれらの二以上の組み合わせの表示により前記信頼度を通知する。
【００２５】
請求項１８に記載の発明は、請求項１６又は１７に記載の発明において、
前記信頼度通知手段は、前記動画像の再生箇所を示すための時間軸の色を各時間に再生されるフレーム画像の信頼度に応じた色で表示することにより、前記フレーム画像ごとの信頼度を通知する。
【００２６】
請求項１９に記載の発明は、請求項１６〜１８のいずれか一項に記載の発明において、
前記信頼度通知手段による信頼度の通知方法を切り替えるためのユーザーインターフェースを備える。
【００２７】
請求項２０に記載の発明のプログラムは、
コンピューターを、
被写体に放射線を複数回連続して照射することにより動画像を取得する撮影装置によって取得された動画像のフレーム画像ごと又は画素ごとに、前記動画像において時間方向に変動するノイズのノイズ量を表すノイズ量評価用データを作成するノイズ量評価用データ作成手段、
前記ノイズ量評価用データに基づいて、前記動画像のフレーム画像ごと又は画素ごとの信頼度を判定する判定手段、
前記判定手段により判定されたフレーム画像ごと又は画素ごとの信頼度に基づいて、前記動画像の表示制御、前記動画像に対する画像処理制御、又は前記撮影装置に関する通知もしくは撮影の制御を行う制御手段、
として機能させる。
【発明の効果】
【００２８】
本発明によれば、放射線撮影により得られた動画像を表示したり画像処理したりする場合における時間方向に変動するノイズの影響を低減することが可能となる。
【図面の簡単な説明】
【００２９】
【図１】本発明の実施形態における動画像処理システムの全体構成例を示す図である。
【図２】図１のコンソールの機能的構成を示すブロック図である。
【図３】図２の制御部により実行される画像制御処理を示すフローチャートである。
【図４】被写体の動態に起因する信号値変動のない領域の抽出手法を説明するための図である。
【図５】フレーム画像ごとの信頼度の通知例を示す図である。
【図６】フレーム画像ごとの信頼度の通知方法を切り替えるためのユーザーインターフェースの一例を示す図である。
【図７】撮影回数による信頼度の変化と放射線検出器に関する通知の閾値を示すグラフである。
【図８】撮影回数による信頼度の変化と放射線発生装置に関する通知の閾値を示すグラフである。
【図９】信頼度の低いフレーム画像又は画素を含む動画像の表示又は画像処理方法を模式的に示す図である。
【図１０】信頼度の低いフレーム画像又は画素を含む動画像の表示又は画像処理方法を模式的に示す図である。
【図１１】動画像における時間方向に変動するノイズを示すグラフである。
【発明を実施するための形態】
【００３０】
以下、図面を参照して本発明の実施形態について説明する。ただし、発明の範囲は、図示例に限定されない。
【００３１】
〔動画像処理システム１００の構成〕
まず、本実施形態の構成を説明する。
図１は、本実施形態に係る動画像処理システム１００の全体構成例を示す図である。図１に示すように、動画像処理システム１００は、撮影装置１と、コンソール２とがデータ送受信可能に接続されて構成されている。
【００３２】
撮影装置１は、被写体Ｈの動態を動画撮影する装置である。動画撮影とは、ここでは、被写体Ｈに対し、Ｘ線等の放射線をパルス状にして所定時間間隔で繰り返し照射するか（パルス照射）、もしくは、低線量率にして途切れなく継続して照射する（連続照射）ことで、被写体Ｈの動態を示す複数の画像を取得することをいう。動画撮影により得られた一連の画像を動画像と呼ぶ。また、動画像を構成する複数の画像のそれぞれをフレーム画像と呼ぶ。本実施形態では、パルス照射により動画像を撮影する場合を例にとり説明する。
【００３３】
撮影装置１は、放射線検出器Ｐと、放射線検出器Ｐを装填可能な撮影台１１と、放射線発生装置１２とを備えて構成されている。撮影台１１は、そのホルダー１１ａ内に放射線検出器Ｐを装填することができるようになっている。
【００３４】
放射線検出器Ｐは、ＦＰＤ（Flat Panel Detector）等の半導体イメージセンサーにより構成され、被写体Ｈを挟んで放射線発生装置１２と対向するように設けられている。放射線検出器Ｐは、例えば、ガラス基板等を有しており、基板上の所定位置に、放射線発生装置１２から照射されて少なくとも被写体Ｈを透過した放射線（Ｘ線）をその強度に応じて検出し、検出した放射線を電気信号に変換して蓄積する複数の検出素子（画素）がマトリックス状に配列されている。各画素は、例えばＴＦＴ（Thin Film Transistor）等のスイッチング部を備えて構成されている。放射線検出器Ｐは、コンソール２から入力された画像読取条件に基づいて各画素のスイッチング部を制御して、当該各画素に蓄積された電気信号の読み取りをスイッチングしていき、各画素に蓄積された電気信号を読み取ることにより、画像データ（信号値）を取得する。この画像データがフレーム画像である。フレーム画像の信号値（画素値）は濃度値を示す。そして、放射線検出器Ｐは、取得したフレーム画像をコンソール２に出力する。
【００３５】
放射線発生装置１２は、被写体Ｈを挟んで放射線検出器Ｐと対向する位置に配置され、コンソール２から入力された放射線照射条件に基づいて被写体Ｈを介して、ホルダー１１ａに装填された放射線検出器Ｐに放射線を照射して撮影を行う。
【００３６】
コンソール２は、放射線照射条件や画像読取条件等の撮影条件を撮影装置１に出力して撮影装置１による放射線撮影及び放射線画像の読み取り動作を制御するとともに、撮影装置１により取得された動画像の表示制御や画像処理制御等を行う制御装置である。
コンソール２は、図２に示すように、制御部２１、記憶部２２、操作部２３、表示部２４、通信部２５を備えて構成され、各部はバス２６により接続されている。
【００３７】
制御部２１は、ＣＰＵ（Central Processing Unit）、ＲＡＭ（Random Access Memory
）等により構成される。制御部２１のＣＰＵは、操作部２３の操作に応じて、記憶部２２に記憶されているシステムプログラムや後述する画像制御処理を始めとする各種処理プログラムを読み出してＲＡＭ内に展開し、展開されたプログラムに従って、コンソール２各部の動作や、撮影装置１の放射線照射動作及び読み取り動作を集中制御する。制御部２１は、ノイズ量評価用データ作成手段、判定手段、制御手段、解析処理手段、信頼度通知手段として機能する。
【００３８】
記憶部２２は、不揮発性の半導体メモリーやハードディスク等により構成される。記憶部２２は、制御部２１で実行される各種プログラムやプログラムにより処理の実行に必要なパラメーター、或いは処理結果等のデータを記憶する。各種プログラムは、読取可能なプログラムコードの形態で格納され、制御部２１は、当該プログラムコードに従った動作を逐次実行する。
【００３９】
また、記憶部２２は、撮影部位に対応する撮影条件（放射線照射条件及び画像読取条件）を記憶している。放射線照射条件は、例えば、パルスレート、パルス幅、パルス間隔、１撮影あたりの撮影フレーム数、Ｘ線管電流の値、Ｘ線管電圧の値、付加フィルター種等である。パルスレートは、１秒あたりの放射線照射回数であり、後述するフレームレートと一致している。パルス幅は、放射線照射１回当たりの放射線照射時間である。パルス間隔は、１回の放射線照射開始から次の放射線照射開始までの時間であり、後述するフレーム間隔と一致している。画像読取条件は、例えば、フレームレート、フレーム間隔、画素サイズ、画像サイズ（マトリックスサイズ）等である。フレームレートは、１秒あたりに取得するフレーム画像数である。フレーム間隔は、１回のフレーム画像の取得動作開始から次のフレーム画像の取得動作開始までの時間である。
更に、記憶部２２は、図示しないＲＩＳ（Radiology Information System）等から送信される撮影オーダー情報が記憶されている。撮影オーダー情報には、患者情報、検査情報（検査ＩＤ、撮影部位（被写体部位。撮影方向も含む）、検査日等）等が含まれる。
【００４０】
また、記憶部２２は、撮影により取得された動画像を患者情報や検査情報等に対応付けて記憶する。
【００４１】
操作部２３は、カーソルキー、数字入力キー、及び各種機能キー等を備えたキーボードと、マウス等のポインティングデバイスを備えて構成され、ユーザーによるキーボードに対するキー操作やマウス操作により入力された指示信号を制御部２１に出力する。また、操作部２３は、表示部２４の表示画面にタッチパネルを備えても良く、この場合、タッチパネルを介して入力された指示信号を制御部２１に出力する。更に、操作部２３には、放射線発生装置１２に動画撮影を指示するための曝射スイッチが備えられている。
【００４２】
表示部２４は、ＬＣＤ（Liquid Crystal Display）やＣＲＴ（Cathode Ray Tube）等のモニターにより構成され、制御部２１から入力される表示信号の指示に従って、操作部２３からの入力指示やデータ等を表示する。
【００４３】
通信部２５は、放射線発生装置１２及び放射線検出器Ｐとデータ送受信を行うためのインターフェースを有する。なお、コンソール２と放射線発生装置１２及び放射線検出器Ｐとの通信は、有線通信であっても無線通信であってもよい。
また、通信部２５は、ＬＡＮアダプターやモデムやＴＡ（Terminal Adapter）等を備え、通信ネットワークに接続された図示しないＲＩＳ等との間のデータ送受信を制御する。
【００４４】
〔動画像処理システム１００の動作〕
次に、本実施形態における動画像処理システム１００の動作について説明する。
【００４５】
図３は、コンソール２の制御部２１において実行される画像制御処理の流れを示すフローチャートを示す。画像制御処理は、制御部２１と記憶部２２に記憶されているプログラムとの協働により実行される。
【００４６】
まず、制御部２１は、表示部２４に撮影オーダー情報のリストを表示させ、操作部２３による撮影オーダー情報の選択を受け付ける（ステップＳ１）。
【００４７】
次いで、制御部２１は、撮影部位に応じた放射線照射条件を記憶部２２から読み出して放射線発生装置１２に設定するとともに、撮影部位に応じた画像読取条件を記憶部２２から読み出して放射線検出器Ｐに設定する（ステップＳ２）。なお、放射線照射条件及び画像読取条件は、ユーザー操作に応じて調整することが可能である。
【００４８】
次いで、制御部２１は、曝射スイッチの押下を待機し、曝射スイッチが押下されると、撮影装置１に動画撮影の開始を指示して動画撮影を開始する（ステップＳ３）。
撮影装置１の放射線発生装置１２は、設定されたパルス間隔で放射線を複数回連続して照射し、放射線検出器Ｐは、放射線発生装置１２に同期して、順次照射された放射線量に応じた電荷を蓄積して読み出すことによりフレーム画像を取得し、撮影順を示すフレーム番号と対応付けてコンソール２に送信する。予め定められた枚数のフレーム画像が取得されると、撮影装置１は、撮影動作を停止する。
【００４９】
動画撮影が終了すると、制御部２１は、動画像のフレーム画像ごと又は画素ごとにノイズ量評価用データを作成する（ステップＳ４）。
ノイズ量評価用データは、フレーム画像ごと又は画素ごとの、動画像において時間方向に変動するノイズのノイズ量を表すデータである。
【００５０】
例えば、各フレーム画像における被写体Ｈの動態に起因する信号値変動のない領域を抽出し、抽出した領域の信号値の代表値（平均値、最大値、中央値、最小値、最頻値等。代表信号値と呼ぶ。）を算出し、予め定められた基準値（例えば、各フレーム画像から算出した代表信号値の平均値）と算出した代表信号値との差分値をフレーム画像ごとのノイズ量評価用データとして作成することができる。この場合、差分値が大きいほどノイズ量が多いことを示す。
【００５１】
被写体の動態に起因する信号値変動のない領域としては、例えば、被写体Ｈを透過せずに放射線検出器Ｐに直接放射線が入射した領域（直接線領域）を用いることができる。例えば、動画像が胸部の動画像である場合、図４（ａ）に示すように、画像左上の領域には被写体が配置されず、直接線領域となる。そこで、例えば、各フレーム画像の左上のＭ×Ｎ画素（Ｍ、Ｎは正の整数）の領域（図４（ａ）において矩形で示す）を直接線領域として抽出する。
または、直接線領域は、被写体Ｈを透過した領域よりも信号値が高いため、図４（ｂ）に示すように、各フレーム画像において、予め定められた閾値よりも信号値が高い画素の集合領域（図４（ｂ）において太線で囲んで示す）を直接線領域として抽出してもよい。
または、動画像が胸部の動画像である場合、呼吸運動や心拍運動による密度変動（信号値変動）がない領域、例えば、胸椎領域にＲＯＩ（関心領域。図４（ｃ）において矩形で示す）を設定し、設定したＲＯＩを被写体Ｈの動態に起因する信号値変動のない領域として用いてもよい。胸椎領域は、例えば、特開２０００−７９１１０号公報に記載の手法等、公知の手法を用いて抽出することができる。
【００５２】
また、例えば、動画像に時間方向に変動するノイズを低減するノイズ低減処理（時間方向のノイズ低減処理）を施し、ノイズ低減処理前のフレーム画像又は画素とノイズ低減処理後の対応するフレーム画像又は画素との比較に基づいて、フレーム画像ごと又は画素ごとのノイズ量評価用データを作成することとしてもよい。
【００５３】
例えば、ノイズ低減処理前後の各フレーム画像の各画素の差分値を算出することで、画素ごとのノイズ量評価用データを作成することができる。また、各フレーム画像における画素ごとの上記差分値の最大値、最小値、積算値、平均値、最頻値、中央値のいずれかを算出することにより、フレーム画像ごとのノイズ量評価用データを作成することができる。この場合、差分値が大きいほどノイズ量が多いことを示す。
あるいは、ノイズ低減処理前の各フレーム画像又は画素とノイズ低減処理後の対応するフレーム画像又は画素との類似度を算出することで、フレーム画像ごと又は画素ごとのノイズ量評価用データを作成することとしてもよい。ここで、類似度としては、例えば、ＳＳＤ（Sum of Squared Difference）、ＳＡＤ（Sum of Absolute Difference）、正規化相互相関係数等を用いることができる。ＳＳＤ、ＳＡＤは、算出された値が小さいほど類似度が大きいことを示し、正規化相互相関係数は、算出された値の絶対値が大きいほど類似度が大きいことを示す。また、類似度が小さいほどノイズ量が多いことを示す。なお、画素ごとの類似度は、例えば、注目画素を中心とするｍ×ｎ画素（ｍ、ｎは正の整数）を用いて算出することができる。
【００５４】
ノイズ低減処理としては、例えば、（１）オリジナルの動画像に時間方向のフィルタリング処理を施す処理が挙げられる。
また、他のノイズ低減処理としては、例えば、（２）動画像の各フレーム画像を周波数分解して複数の周波数帯域の動画像を作成し、少なくとも低周波数帯域の動画像に時間方向のフィルタリング処理を施して他の周波数帯域の動画像と足し合わせる処理が挙げられる。例えば、まず、動画像の各フレーム画像にガウシアンフィルター処理を施して高周波成分が除去された低周波成分動画像を作成する。次いで、作成した低周波成分動画像をオリジナル画像から減算する（対応するフレーム画像の画素ごとに減算する）ことで、高周波成分動画像を作成する。次いで、低周波成分動画像に時間方向のフィルタリング処理を施すことで時間方向のノイズ低減処理を行い、ノイズが低減された低周波成分動画像に高周波成分動画像を足し合わせて（対応するフレーム画像の画素ごとに足し合わせて）、時間方向に変動するノイズが低減された動画像を作成する。
【００５５】
時間方向のノイズ低減処理に用いるフィルタリング処理としては、時間方向のメディアンフィルター処理、移動平均フィルター処理、ガウシアンフィルター処理、リカーシブフィルター処理、周波数領域への変換処理(例えば、フーリエ変換)後に特定の周波数を除去する処理等が考えられるが、メディアンフィルター処理とすることが好ましい。時間方向のメディアンフィルター処理は、フレーム画像ごとに、そのフレーム画像の各画素の信号値を当該フレーム画像及び隣接する複数のフレーム画像の対応する画素の信号値の中央値に置き換える処理であり、画像を平滑化することなく、画像のエッジ部分をそのまま残してノイズを除去できるからである。
【００５６】
特許文献１の技術等の従来のノイズ低減処理では、動画像を構成するフレーム画像ごとに独立的に（１フレーム画像内の情報のみを用いて）ノイズ低減処理を行うものであり、フレーム画像間を跨る、時間方向に変動するノイズを低減することは困難であるが、上述の（１）、（２）のノイズ低減処理では、フレーム間を跨いでの（他のフレーム画像の情報を使用した）ノイズ低減処理を行っており、時間方向に変動するノイズを低減することができる。また、特許文献１の技術等の従来のノイズ低減処理のように、フレーム画像ごとに処理強度を変えてノイズ低減処理を行う場合、フレーム画像ごとに残存するノイズ量が異なるために、例えばフレーム間差分処理などを行うと残存するノイズ量の差が本来抽出したい濃度変動量と共に抽出されてしまう。そのため解析処理精度が低下することとなってしまう。しかし、（１）、（２）の処理では、フレーム画像間を跨いでノイズ低減処理を行うことでフレーム画像間での残存するノイズ量の差を押さえられるため、上記のような残存ノイズ量の差による濃度変化の発生を低減でき、結果として処理精度の低下を軽減できる。
【００５７】
上記（１）のノイズ低減処理では、簡単な処理で動画像から時間方向に変動するノイズを低減することができる。しかし、時間方向への変動を持つノイズ情報のみでなく構造物情報も低減してしまう点が問題となる。隣接するフレーム画像間での動きが大きくなる深呼吸での撮影時や低フレームレート撮影時などで問題が顕著に見られるようになる。特に、血管などの細かい構造物への影響が大きく、画像上では血管がボケて潰れてしまったり、最悪消失してしまったりするなどの状態が見受けられる。
【００５８】
一方、上記（２）のノイズ低減処理では、オリジナルの動画像を高周波成分動画像（血管などの細い構造物情報を多く含む画像）と低周波成分動画像（時間方向への変動を持つノイズ情報を多く含む画像）に分離し、低周波成分動画像にのみ時間方向のフィルタリング処理を行うことで、診断に利用される細い構造物の情報をできるだけ維持（画像上でボケない又は消失させない）しつつ、時間方向への変動を持つノイズ情報のみを低減することが可能となる。
【００５９】
次いで、制御部２１は、ノイズ量評価用データに基づいて、フレーム画像ごと又は画素ごとの信頼度を判定する（ステップＳ５）。
例えば、ノイズ量評価用データと信頼度との対応関係を示すテーブル等を予め記憶部２２に記憶しておき、ノイズ量評価用データに基づいて信頼度を判定する。判定結果は、記憶部２２に元の動画像に対応付けて記憶させる。
【００６０】
次いで、制御部２１は、フレーム画像ごとの信頼度をユーザーに通知する（ステップＳ６）。
例えば、信頼度を数値、マーク、色、グラフ又はそれらの２つ以上の組み合わせの表示により通知する。
図５（ａ）〜（ｄ）は、ステップＳ６において表示部２４に表示される通知画面２４１の例を示す図である。図５（ａ）〜（ｄ）に示すように、通知画面２４１には、動画像２４１ａと、各フレーム画像の信頼度の通知（２４１ｂ〜２４１ｅ）とが表示される。
図５（ａ）は、信頼度を数値２４１ｂにより通知する通知画面２４１の一例を示す図である。図５（ａ）において、〇〇、△△、××は数値を示す。なお、例えば、信頼度が高い場合は赤、信頼度が中の場合は黒、信頼度が低い場合は青等の色を付して信頼度の数値２４１ｂを表示することとしてもよい。
図５（ｂ）は、信頼度をマーク２４１ｃにより通知する通知画面２４１の一例を示す図である。例えば、信頼度が高い場合は上矢印、信頼度が中の場合は横矢印、信頼度が低い場合は下矢印のマーク２４１ｃを表示する。なお、例えば、信頼度が高い場合は赤、信頼度が中の場合は黒、信頼度が低い場合は青等の色を付して信頼度に対応するマーク２４１ｃを表示することとしてもよい。
図５（ｃ）は、信頼度をグラフ２４１ｄにより通知する通知画面２４１の一例を示す図である。例えば、グラフ２４１ｄとしては、横軸をフレーム番号、縦軸を信頼度として各フレーム画像の信頼度を表した棒グラフを用いることができる。信頼度が高い場合は赤、信頼度が中の場合は黒、信頼度が低い場合は青等の色を付して信頼度に対応するグラフ２４１ｄを表示することとしてもよい。
図５（ｄ）は、動画像の再生箇所を示す時間軸（シネバー）２４１ｅに各時間に再生されるフレーム画像の信頼度を表す色を付して信頼度を通知する通知画面２４１の一例を示す図である。例えば、動画像の再生箇所を示す時間軸２４１ｅの、信頼度が高いフレーム画像の位置には赤、信頼度が中のフレーム画像の位置には黒、信頼度が低いフレーム画像の位置には青等の色を付して表示する。
【００６１】
なお、操作部２３による所定の操作に応じて、制御部２１は、例えば、信頼度通知方法を切り替えるための切り替え画面２４２を表示部２４に表示してもよい。
図６は、切り替え画面２４２の一例を示す図である。図６に示すように、切り替え画面２４２には、動画像２４２ａと、信頼度の通知方法を切り替えるためのプルダウンメニュー２４２ｂが表示されている。プルダウンメニュー２４２ｂからは、例えば、数値、マーク、グラフ、時間軸等の中からいずれかのメニューを選択することができるようになっている。制御部２１は、切り替え画面２４２において操作部２３の操作により選択された通知方法で信頼度の通知を行う。
【００６２】
次いで、制御部２１は、フレーム画像ごとに算出された信頼度に基づいて、撮影装置１に関する通知を行う（ステップＳ７）。
【００６３】
例えば、放射線検出器Ｐは経時劣化するため、図７に示すように、撮影回数が増えるにしたがって、動画像の時間方向に変動するノイズが増えて動画像全体の信頼度は低下する。そこで、制御部２１は、例えば、フレーム画像ごとに算出された信頼度の最大値、最小値、積算値、平均値、最頻値、中央値のいずれかを動画像全体の信頼度として算出し、算出した動画像全体の信頼度を放射線検出器Ｐの経時劣化を示す指標（値が小さいほど劣化が大きい）として通知する。例えば、撮影ごとに、動画像全体の信頼度と撮影回数とを対応付けて記憶部２２に記憶しておき、動画像全体の信頼度を時系列に並べたグラフ（図７参照）を表示して、放射線検出器Ｐの経時劣化を示す指標を通知する。
また、算出した動画像全体の信頼度が予め定められた閾値Ｔｈ１を下回った場合、制御部２１は、放射線検出器Ｐのゲインキャリブレーションが必要と判断し、ゲインキャリブレーションを促す通知を表示部２４に表示させる（または、音声出力部を備えている場合は音声出力することとしてもよい）。ここで、放射線検出器Ｐの各画素の１レントゲン当たりの信号値（count/R）の値はそれぞれ異なり、また使い続けることによって変化する。ゲインキャリブレーションとは、同一線量が各画素にあたった場合に信号値が同じになるように各画素のcount/Rの値を用いて補正することをという。
また、算出した動画像全体の信頼度が予め定められた閾値Ｔｈ２（Ｔｈ１＞Ｔｈ２）を下回った場合、制御部２１は、放射線検出器Ｐの交換が必要であると判断し、放射線検出器Ｐの交換を促す通知を表示部２４に表示させる（または、音声出力部を備えている場合は音声出力することとしてもよい）。
【００６４】
同様に、放射線発生装置１２は経時劣化するため、図８に示すように、撮影回数が増えるにしたがって、動画像の時間方向に変動するノイズが増えて動画像全体の信頼度は低下する。そこで、制御部２１は、例えば、動画像全体の信頼度を算出し、算出した動画像全体の信頼度を放射線発生装置１２の経時劣化を示す指標（値が小さいほど劣化が大きい）として通知する。例えば、撮影ごとに、動画像全体の信頼度と撮影回数とを対応付けて記憶部２２に記憶しておき、動画像全体の信頼度を時系列に並べたグラフ（図８参照）を表示して、放射線発生装置１２の経時劣化を示す指標を通知する。
また、算出した動画像全体の信頼度が予め定められた閾値Ｔｈ１１を上回った場合、制御部２１は、放射線発生装置１２の線量低下が可能と判断し、線量低下を促す通知を表示部２４に表示させる（または、音声出力部を備えている場合は音声出力してもよい）。ここで、被曝低減の観点から、撮影時の線量はなるべく低く設定することが好ましい。信頼度が高いということは診断や解析に十分な画質を備えているといえるため、診断や解析に十分な信頼度を達成できる範囲内で線量低下を促して線量を低下させることで患者の被曝量の低減を図ることができる。
また、算出した動画像全体の信頼度が予め定められた閾値Ｔｈ１２（Ｔｈ１１＞Ｔｈ１２）を下回った場合、制御部２１は、放射線発生装置１２の線量増加が必要と判断し、線量増加を促す通知を表示部２４に表示させる（または、音声出力部を備えている場合は音声出力してもよい）。なお、線量は、放射線照射条件のうち、管電流、管電圧、又は１フレーム画像当たりの曝射時間のいずれか一以上を調整することで変更することができ、算出した動画像全体の信頼度が予め定められた閾値Ｔｈ１１を上回ったか又は閾値Ｔｈ１２を下回った場合、制御部２１は、自動的に次回撮影時の管電流、管電圧、又は１フレーム画像当たりの曝射時間を今回の信頼度に応じて変更する制御を行ってもよい。
【００６５】
また、算出した信頼度が非常に低く、診断に適さない場合は、放射線照射条件の変更や放射線検出器Ｐの交換等を行って再撮影を行うことが好ましい。そこで、制御部２１は、フレーム画像ごとに算出した信頼度が予め定められた閾値より低いフレーム画像の割合を算出し、閾値より低いフレーム画像の割合が予め定められた割合以上であるか否かを判断し、予め定められた割合以上である場合に、再撮影が必要であると判断して再撮影を促す通知を表示部２４に表示させる（または、音声出力部を備えている場合は音声出力してもよい）。
【００６６】
次いで、制御部２１は、撮影された動画像の表示を行うか否かを判断する（ステップＳ８）。例えば、制御部２１は、ステップＳ７において、ゲインキャリブレーションを促す通知、放射線検出器Ｐの交換を促す通知、線量増加を促す通知、再撮影を促す通知等を行っていない場合（すなわち、診断に適した動画像を表示できると判断した場合）、動画像の表示を行うと判断する。また、上述の通知が行われた場合であっても、操作部２３により画像表示の指示が入力された場合には、動画像の表示を行うと判断する。
【００６７】
撮影された動画像の表示を行うと判断した場合（ステップＳ８；ＹＥＳ）、制御部２１は、フレーム画像ごと又は画素ごとの信頼度に基づいて、画像表示制御を行う（ステップＳ９）。
動画像の表示方法としては、例えば、動画像の複数のフレーム画像のサムネイル画像を並べて表示する方法、複数のフレーム画像を順次表示する方法（すなわち、動画表示する方法）、動画像の中から代表的なフレーム画像１枚を選択して表示（初期表示）する方法が挙げられる。いずれの方法で表示するかは、操作部２３により予め設定された設定情報に基づいて決定される。
【００６８】
動画像の複数のフレーム画像のサムネイル画像を並べて表示する場合、制御部２１は、信頼度が予め定められた閾値以下のフレーム画像が存在するか否かを判断し、存在すると判断した場合、図９に示すように、該当するフレーム画像（Ｎフレーム）のサムネイル画像を表示せず、該当するフレーム画像を除いたサムネイル画像を並べて表示部２４に表示させる。または、図１０に示すように、該当するフレーム画像（Ｎフレーム）に隣接する、信頼度が予め定められた閾値より高いフレーム画像（Ｎ−１フレーム、Ｎ＋１フレーム）の信号値の平均値で各画素を補間して新しいフレーム画像（新Ｎフレーム）を作成し、新しいフレーム画像で元のフレーム画像を置き換えて、全フレーム画像のサムネイル画像を並べて表示部２４に表示させる。また、制御部２１は、サムネイル画像を表示する各フレーム画像に信頼度が予め定められた閾値よりも低い画素が存在するか否かを判断し、存在した場合は、該当する画素の信号値を予め定められた閾値より信頼度が高い周囲の複数画素の信号値の平均値で補間した値に置き換えて表示部２４に動画表示させる。
【００６９】
複数のフレーム画像を順次表示する場合、制御部２１は、信頼度が予め定められた閾値以下のフレーム画像が存在するか否かを判断し、存在すると判断した場合、該当するフレーム画像（Ｎフレーム）に隣接する、信頼度が予め定められた閾値より高いフレーム画像（Ｎ−１フレーム、Ｎ＋１フレーム）の信号値の平均値で各画素を補間して新しいフレーム画像（新Ｎフレーム）を作成し、新しいフレーム画像で元のフレーム画像を置き換えて表示部２４に動画表示させる。また、表示する各フレーム画像に信頼度が予め定められた閾値以下の画素が存在するか否かを判断し、存在した場合は、該当する画素の信号値を予め定められた閾値より信頼度が高い周囲の複数画素の信号値の平均値で補間した値に置き換えて表示部２４に動画表示させる。
【００７０】
代表的なフレーム画像を表示する場合、制御部２１は、信頼度が最も高いと判定されたフレーム画像を代表的なフレーム画像として選択して表示部２４に表示させる。
【００７１】
次いで、制御部２１は、操作部２３により画像処理が指示されたか否かを判断する（ステップＳ１０）。
画像処理が指示されたと判断した場合（ステップＳ１０；ＹＥＳ）、制御部２１は、フレーム画像ごと又は画素ごとの信頼度に基づいて、画像処理制御を行う（ステップＳ１１）。
【００７２】
例えば、信頼度が予め定められた閾値以下のフレーム画像が存在するか否かを判断し、存在すると判断した場合、該当するフレーム画像（Ｎフレーム）を除いたフレーム画像を用いて画像処理を行う。または、該当するフレーム画像（Ｎフレーム）に隣接する、信頼度が予め定められた閾値より高いフレーム画像（Ｎ−１フレーム、Ｎ＋１フレーム）の信号値の平均値で各画素を補間して新しいフレーム画像（新Ｎフレーム）を作成し、新しいフレーム画像で元のフレーム画像を置き換えて、画像処理を行う。また、画像処理に使用する各フレーム画像に信頼度が予め定められた閾値以下の画素が存在するか否かを判断し、存在した場合は、該当する画素の信号値を予め定められた閾値より信頼度が高い周囲の複数画素の信号値の平均値で補間して置き換えて画像処理を行う。
画像処理には解析処理を含み、例えば、動画像の複数のフレーム画像の信号値の最大値を１枚の静止画像に集約した画像（ＭＩＰ（Maximum Intensity Projection）画像と呼ぶ）を作成する処理、時間方向のフィルタリング処理等が挙げられる。
【００７３】
なお、動画像の他のフレーム画像に対して突出して信頼度が高いフレーム画像が存在した場合、ノイズを付加して他のフレーム画像に信頼度を揃えてから画像処理を行うこととしてもよい。ここで、デジタル画像上に加工過程で現れるノイズは主にインパルスノイズとガウシアンノイズの２つがある。インパルスノイズは、位置に独立でランダムにある頻度を持って現れるノイズである。インパルスノイズは、例えば、確率Ｐｒを定義して、その確率で画素の位置に関係なく信号値を０、あるいは予め定義した最大値に置き換えることで付加できる。ガウシアンノイズは、正規分布と等しい確率密度関数を持つ統計的ノイズである。ガウシアンノイズは、例えば、各画素に現在の信号値を中心に適当な標準偏差で正規分布乱数を振り、信号値を変更させることで付加できる。
【００７４】
そして、制御部２１は、画像処理結果を表示部２４に表示させるとともに、元の動画像に対応付けて記憶部２２に記憶させ（ステップＳ１２）、画像制御処理を終了する。
一方、ステップＳ８で表示を行わないと判断した場合（ステップＳ８；ＮＯ）、又は、ステップＳ１０で画像処理が指示されなかったと判断した場合（ステップＳ１０；ＮＯ）、制御部２１は、画像制御処理を終了する。
【００７５】
以上説明したように、コンソール２の制御部２１によれば、撮影装置１によって取得された動画像のフレーム画像ごと又は画素ごとに、動画像において時間方向に変動するノイズのノイズ量を表すノイズ量評価用データを作成し、作成されたノイズ量評価用データに基づいて、動画像のフレーム画像ごと又は画素ごとの信頼度を判定し、判定されたフレーム画像ごと又は画素ごとの信頼度に基づいて、動画像の表示制御、動画像に対する画像処理制御、又は撮影装置１に関する通知もしくは撮影の制御を行う。
したがって、従来のように、時間方向に変動するノイズ量に関係なく一律に表示や画像処理を行うのではなく、時間方向に変動するノイズ量に基づいて判定されたフレーム画像ごと又は画素ごとの信頼度に基づいて動画像の表示や画像処理の制御を行うので、動画像を表示したり画像処理したりする場合における時間方向に変動するノイズの影響を低減し、動画像の安定的な表示や画像処理を提供することが可能となる。また、時間方向に変動するノイズ量に基づいて判定されたフレーム画像ごとの信頼度に基づいて、撮影装置１に対する通知や撮影制御を行うので、時間方向に変動するノイズ量の少ない動画像を取得することが可能となる。その結果、動画像を表示したり画像処理したりする場合における時間方向に変動するノイズの影響を低減し、動画像の安定的な表示や画像処理を提供することが可能となる。また、撮影装置１の品質管理が容易となる。
【００７６】
例えば、制御部２１は、信頼度が予め定められた閾値以下と判定されたフレーム画像もしくは画素を使用しないで画像処理を行うか、又は周囲の予め定められた前記閾値より信頼度の高いフレーム画像もしくは画素で補間を行ってから動画像の画像処理を行うように制御する。したがって、動画像から時間方向に変動するノイズの影響を除去して画像処理を行うことができるので、安定的な画像処理を提供することができる。
【００７７】
また、例えば、制御部２１は、信頼度が予め定められた閾値以下と判定されたフレーム画像もしくは画素を使用しないで表示を行うか、又は周囲の予め定められた前記閾値よりも信頼度が高いフレーム画像又は画素で補間を行ってから動画像の表示を行うように制御する。したがって、動画像から時間方向に変動するノイズの影響を除去して表示を行うことができるので、動画像を安定的に表示することが可能となる。
【００７８】
また、例えば、制御部２１は、信頼度が最も高いフレーム画像を代表的なフレーム画像として表示するよう制御する。したがって、ノイズの影響の最も少ないフレーム画像を代表的なフレーム画像として表示することが可能となる。
【００７９】
また、制御部２１は、各フレーム画像について判定された信頼度に基づいて、動画像全体の信頼度を判定し、判定された動画像全体の信頼度を撮影装置１の放射線検出器Ｐ又は放射線発生装置１２の経時劣化度を示す指標として通知する。例えば、動画像全体の信頼度を時系列で示したグラフを表示部２４に表示させる。したがって、ユーザーに、放射線検出器Ｐ又は放射線発生装置１２の経時劣化度を認識させて経時劣化度が高い場合に撮影装置１への対応を促すことができるため、時間方向に変動するノイズ量が低減された動画像を取得して表示や画像処理を行うことが可能となる。
【００８０】
また、制御部２１は、各フレーム画像について判定された信頼度に基づいて、動画像全体の信頼度を判定し、動画像全体の信頼度に基づいて、撮影装置１における管電流、管電圧、又は１フレーム画像当たりの放射線照射時間を制御する。したがって、時間方向に変動するノイズ量が低減された動画像を取得して表示や画像処理を行うことが可能となる。
【００８１】
また、制御部２１は、各フレーム画像について判定された信頼度に基づいて、再撮影が必要であるか否かを判断し、再撮影が必要であると判断した場合にその旨を通知する。したがって、信頼度が低く再撮影の必要がある場合に、ユーザーに再撮影を促すことができるので、再撮影により時間方向に変動するノイズ量が低減された動画像を取得して表示や画像処理を行うことが可能となる。
【００８２】
また、制御部２１は、各フレーム画像について判定された信頼度に基づいて、動画像全体の信頼度を判定し、動画像全体の信頼度に基づいて、撮影装置１の放射線検出器Ｐのキャリブレーション又は交換の必要性を判断し、放射線検出器Ｐのキャリブレーション又は交換が必要と判断した場合にその旨を通知する。したがって、放射線検出器Ｐのキャリブレーション又は交換が必要な場合にユーザーにその旨を認識させて放射線検出器Ｐのキャリブレーション又は交換を促すことができるので、時間方向に変動するノイズ量が低減された動画像を取得して表示や画像処理を行うことが可能となる。
【００８３】
また、制御部２１は、判定されたフレーム画像ごとの信頼度を通知する。例えば、数値、マーク、色、グラフ、又はこれらの二以上の組み合わせの表示により信頼度を通知する。または、例えば、動画像の再生箇所を示すための時間軸の色を各時間に再生されるフレーム画像の信頼度に応じた色で表示することにより、フレーム画像ごとの信頼度を通知する。したがって、ユーザーは動画像のフレーム画像ごとの信頼度を把握することができる。
【００８４】
また、制御部２１は、信頼度の通知方法を切り替えるためのユーザーインターフェースを表示部２４に表示させることができるので、ユーザーの所望の方法で信頼度を通知することが可能となる。
【００８５】
なお、上記実施形態における記述内容は、本発明の好適な一例であり、これに限定されるものではない。
【００８６】
例えば、上記実施形態における表示制御は、動画像を解析することにより得られる解析結果画像を表示する場合に適用してもよい。例えば、制御部２１が、動画像を解析して、動画像の各フレーム画像の画素ごとの解析結果を表す解析結果画像を生成する機能を備えている場合、上記ステップＳ１〜Ｓ５の手法により動画像のフレーム画像ごと又は画素ごとの信頼度を判定し、前記動画像を解析した解析結果画像を表示する場合に、信頼度が予め定められた閾値以下と判定されたフレーム画像もしくは画素を使用しないで表示を行うか、又は予め定められた閾値より信頼度の高い周囲のフレーム画像又は画素で補間を行ってから表示を行うように制御することとしてもよい。または、解析結果画像の中から代表的なフレーム画像を１枚表示する場合、信頼度が最も高いフレーム画像を表示することとしてもよい。これにより、時間方向に変動するノイズの影響を除去した安定的な解析結果画像を表示することが可能となる。なお、解析結果画像としては、例えば、特開２０１３−８１５７９号公報に記載のフレーム間差分画像や、特開２０１２−２３９７９６号公報に記載の血流解析結果画像等を挙げることができるが、特に限定されない。
【００８７】
また、動画像及びノイズ低減処理された動画像の組み合わせに対し、ゲインキャリブレーションの要否、放射線検出器の交換の要否、線量低下の要否、線量増加の要否、再撮影の要否等が対応付けられた複数の学習用データを用いて学習された機械学習モデルを予め用意しておき、新たに撮影された動画像及び当該動画像にノイズ低減処理を施した動画像を入力画像として機械学習モデルを用いて、ゲインキャリブレーションの要否、放射線検出器の交換の要否、線量低下を促すか否か、線量増加を促すか否か、再撮影の要否等を判定することとしてもよい。
【００８８】
また、例えば、上記の説明では、本発明に係るプログラムのコンピューター読み取り可能な媒体としてハードディスクや半導体の不揮発性メモリー等を使用した例を開示したが、この例に限定されない。その他のコンピューター読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００８９】
その他、動画像処理システムを構成する各装置の細部構成及び細部動作に関しても、本発明の趣旨を逸脱することのない範囲で適宜変更可能である。
【符号の説明】
【００９０】
１００  動画像処理システム
１  撮影装置
１１  撮影台
１１ａ  ホルダー
１２  放射線発生装置
Ｐ  放射線検出器
２  コンソール
２１  制御部
２２  記憶部
２３  操作部
２４  表示部
２５  通信部
２６  バス
【図１】
2020089399.tif 000003
【図２】
2020089399.tif 000004
【図３】
2020089399.tif 000005
【図４】
2020089399.tif 000006
【図５】
2020089399.tif 000007
【図６】
2020089399.tif 000008
【図７】
2020089399.tif 000009
【図８】
2020089399.tif 000010
【図９】
2020089399.tif 000011
【図１０】
2020089399.tif 000012
【図１１】
2020089399.tif 000013